(57)【要約】【課題】  可動体の重量との関係で側圧の適正範囲を規定することにより、可動体がフォーカス方向やトラッキング方向に変位するときの変位動作の安定性や必要精度を確保する。側圧を発生させるための永久磁石をベースの取付片に固着するときの組立工程を簡略化する。【解決手段】  ベース５の取付片５５に、支軸５３の軸線に対する前後方向の間隔が所定広さに定められた位置決め突起６を設ける。位置決め突起６に永久磁石７の端面を当接状態で係合させることによりその永久磁石７を位置決めして取付片５５に固着する。支軸１の軸線と位置決め突起６との間隔Ａを、側圧が可動体の重量の６２〜８７％になるように定める。【選択図】        図２
2005135476.tif 000002
【特許請求の範囲】
【請求項１】
対物レンズを備える可動体に具備された孔部がベースに設けられた支軸に嵌合されてその可動体が支軸に対しフォーカス方向及びトラッキング方向に摺動変位自在とされ、上記可動体をフォーカス方向及びトラッキング方向に変位させるための磁気駆動機構に、上記ベースに立ち上げられた一対の取付片に各別に固着されて上記支軸に嵌合された上記可動体を挟む両側に位置する一対の永久磁石と、上記支軸を挟む両側で上記可動体に具備された磁性部とが含まれていると共に、一対の上記永久磁石と上記磁性部との引き合いによって上記支軸と上記孔部との当接箇所に側圧が印加されている光ピックアップにおいて、
上記取付片に、上記支軸の軸線に対する前後方向の間隔が所定広さに定められた位置決め突起が備わり、この位置決め突起に上記永久磁石の端面を当接状態で係合させることによりその永久磁石がその位置決め突起により位置決めされた状態で上記取付片に固着されていて、上記支軸の軸線と上記位置決め突起との間隔は、上記側圧の実測値が上記可動体の重量の７５％になるように定め、かつ、上記側圧の実測値が上記可動体の重量の６２〜８７％になるようにその間隔の寸法公差を定めてあることを特徴とする光ピックアップ。
【請求項２】
対物レンズを備える可動体に具備された孔部がベースに設けられた支軸に嵌合されてその可動体が支軸に対しフォーカス方向及びトラッキング方向に摺動変位自在とされ、上記可動体をフォーカス方向及びトラッキング方向に変位させるための磁気駆動機構に、上記ベースに立ち上げられた一対の取付片に各別に固着されて上記支軸に嵌合された上記可動体を挟む両側に位置する一対の永久磁石と、上記支軸を挟む両側で上記可動体に具備された磁性部とが含まれていると共に、一対の上記永久磁石と上記磁性部との引き合いによって上記支軸と上記孔部との当接箇所に側圧が印加されている光ピックアップにおいて、
上記側圧の適正値が、上記可動体の重量に対する割合で定められていることを特徴とする光ピックアップ。
【請求項３】
上記適正値が、上記可動体の重量の６０〜９０％に定められている請求項２に記載した光ピックアップ。
【請求項４】
上記適正値が、上記可動体の重量の６２〜８７％に定められている請求項２に記載した光ピックアップ。
【請求項５】
上記取付片に、上記支軸の軸線に対する前後方向の間隔が所定広さに定められた位置決め突起が備わり、この位置決め突起に上記永久磁石の端面を当接状態で係合させることによりその永久磁石がその位置決め突起により位置決めされた状態で上記取付片に固着されていて、上記支軸の軸線と上記位置決め突起との間隔は、上記側圧の実測値が上記可動体の重量の６０〜９０％になるように定められている請求項２に記載されている光ピックアップ。
【請求項６】
上記取付片に、上記支軸の軸線に対する前後方向の間隔が所定広さに定められた位置決め突起が備わり、この位置決め突起に上記永久磁石の端面を当接状態で係合させることによりその永久磁石がその位置決め突起により位置決めされた状態で上記取付片に固着されていて、上記支軸の軸線と上記位置決め突起との間隔は、上記側圧の実測値が上記可動体の重量の６２〜８７％になるように定められている請求項２に記載されている光ピックアップ。
【発明の詳細な説明】
【技術分野】
【０００１】
本発明は、光ピックアップ、特に、ＣＤ（コンパクトディスク）やＤＶＤ（デジタルビデオディスク）などのディスクに対する記録や記録情報の再生に用いられる光ピックアップに関する。
【背景技術】
【０００２】
この種の光ピックアップでは、アクトベースと呼ばれるベースに垂直に立設された支軸に、対物レンズを備えるレンズホルダーとしての可動体に設けられている孔部が嵌合されてその可動体が支軸に対しフォーカス方向（支軸の軸線方向）及びトラッキング方向（支軸の周方向）に摺動変位自在とされている。また、この光ピックアップでは、可動体をフォーカス方向及びトラッキング方向に変位させるための磁気駆動機構を備えていて、その磁気駆動機構には、フォーカスコイルやトラッキングコイルのほか、トラッキングコイルと共働して可動体をフォーカス方向に駆動する一対の永久磁石やこれらの永久磁石との引き合いによって可動体を中立位置に復帰させるための磁性部などが含まれている。そして、一対の永久磁石は、ベースに立ち上げられた一対の取付片に各別に固着されて支軸に嵌合された可動体を挟む両側に位置している（光ピックアップの基本構成）。
【０００３】
また、従来より、光ピックアップの可動体を中立位置に復帰させる手段として、位置固定された永久磁石と可動体側に設けられた磁性片とを利用することが行われていた（たとえば、特許文献１又は特許文献２参照）。また、２レンズ切換え方式の光ピックアップの対物レンズ駆動装置において、対物レンズを切り換えても同等の側圧を作用させるための対策を講じた対物レンズ駆動装置が知られていた（たとえば、特許文献３参照）。
【０００４】
【特許文献１】特開平５−１５９３３１号公報
【特許文献２】特開平９−４４８７３号公報
【特許文献３】特開平１０−２２８６５５号公報
【発明の開示】
【発明が解決しようとする課題】
【０００５】
ところで、本願発明者は、冒頭に記載した基本構成を備える光ピックアップでは、一対の永久磁石と磁性部との引き合いによって発生する吸引力によって支軸と孔部との当接箇所にその吸引力の大きさに見合う側圧が発生し、その側圧の大きさが可動体の動作感度などに影響を及ぼすことに着目した。その上で、側圧の大きさには適正範囲が存在し、側圧が過大であると可動体のフォーカス方向やトラッキング方向の変位動作が妨げられて動作感度が低下するという事態が起こり、記録再生動作が不安定になったり不可能になったりするのに対し、側圧が過少であると、可動体にがたつきが発生して記録再生動作が不安定になったり不可能になったりするということを見い出した。また、可動体の動作感度の良否が可動体の重量に関係していることも見い出した。
【０００６】
一方、特許文献１や特許文献２に記載されている技術は、可動体を中立位置に復帰させる手段を提供しているに過ぎず、側圧の適正値を定めて記録再生動作の精度や安定性を改善することを意図した技術ではない。また、特許文献３に記載されている技術についても、２レンズ切換え方式の光ピックアップの対物レンズ駆動装置において、対物レンズを切り換えたときでも同等の側圧を生じさせることを意図した技術に過ぎず、側圧の適正値を定めて記録再生動作の精度や安定性を改善することを意図しているものではない。
【０００７】
本発明は以上の状況に鑑みてなされたものであり、側圧の適正範囲を、可動体の重量を勘案して規定することによって、フォーカスコイルやトラッキングコイルなどの作用によって可動体がフォーカス方向やトラッキング方向に変位するときに、その変位動作の安定性や必要精度を確保することのできる光ピックアップを提供することを目的とする。
【０００８】
また、本発明は、側圧を発生させるための永久磁石をベースの取付片に固着するという組立工程を経て組み立てられる光ピックアップにおいて、その永久磁石を取付片に位置決めして取り付けた後に、その取付位置を微調整するという作業が不要になる光ピックアップを提供することを目的とする。
【課題を解決するための手段】
【０００９】
本発明に係る光ピックアップは、対物レンズを備える可動体に具備された孔部がベースに設けられた支軸に嵌合されてその可動体が支軸に対しフォーカス方向及びトラッキング方向に摺動変位自在とされ、上記可動体をフォーカス方向及びトラッキング方向に変位させるための磁気駆動機構に、上記ベースに立ち上げられた一対の取付片に各別に固着されて上記支軸に嵌合された上記可動体を挟む両側に位置する一対の永久磁石と、上記支軸を挟む両側で上記可動体に具備された磁性部とが含まれていると共に、一対の上記永久磁石と上記磁性部との引き合いによって上記支軸と上記孔部との当接箇所に側圧が印加されている光ピックアップにおいて、上記側圧の適正値が、上記可動体の重量に対する割合で定められている、というものである。
【００１０】
ところで、本発明の対象となる光ピックアップのように一対の永久磁石と磁性部との引き合いによって支軸と可動部の孔部との当接箇所に側圧が印加されるようになっている光ピックアップでは、フォーカスコイルやトラッキングコイルに１Ｖの電圧を印加したときの可動体の動作変位量（電圧感度：動作感度）は側圧の大きさによって影響を受け、側圧と電圧感度との関係では、側圧が増大しても電圧感度が一定に保たれる範囲と、側圧が増大すると電圧感度が漸減する範囲とが存在し、電圧感度が一定に保たれてしかも可動体にがたつきが発生しない範囲内に側圧値が存在していると、フォーカス方向やトラッキング方向での可動体の変位動作が安定し必要精度も確保されて記録再生動作が安定する（図４参照）ということを予測できる。そして、側圧が増大しても電圧感度が一定に保たれる側圧値の範囲は、一対の永久磁石と磁性部との引き合いによって発生する吸引力の大きさを種々変更して側圧を測定し、それぞれの測定値の下でフォーカスコイルやトラッキングコイルに電圧を印加して重量一定の可動体をフォーカス方向及びトラッキング方向に実際に変位させることによって実測することができる。しかも、一対の永久磁石と磁性部との引き合いによって発生する吸引力の大きさは、重量一定の可動体を支えている支軸の軸線と可動体の両側に配備される一対の永久磁石との前後方向の間隔の広さを変化させると、それに応じて変化する（図５参照）。
【００１１】
したがって、この発明のように、側圧の適正値を可動体の重量に対する割合で定めることができ、そのようにすると、一対の永久磁石の位置を変更するだけで適正な側圧を容易に得ることが可能になる。言い換えると、一対の取付片に各別に固着される一対の永久磁石の固着位置が適正な範囲内に収まるようにあらかじめ定めておくと、その定められた位置に永久磁石を固着するだけで側圧が適正範囲内に定まり、可動体の変位動作の安定性や必要精度が確保されるようになる。
【００１２】
本発明では、上記適正値が、上記可動体の重量の６０〜９０％に定められていることが望ましい。側圧の適正値が可動体の重量の６０〜９０％に定められていると、可動体がフォーカス方向又はトラッキング方向に変位する際の電圧感度が一定に保たれて可動体の変位動作の安定性や必要精度が向上し、記録再生動作も安定する。しかし、側圧の適正値が可動体の重量の６０％よりも小さいと、側圧が過少になって可動体にがたつきが発生し、記録再生動作が不安定になったり不可能になったりする。その反面で、側圧の適正値が可動体の重量の９０％よりも大きいと、側圧が過大になって可動体のフォーカス方向やトラッキング方向の変位動作が妨げられ、その電圧感度が低下するという事態が起こって記録再生動作が不安定になったり不可能になったりする。
【００１３】
側圧の適正値の特に望ましい範囲は可動体の重量の６２〜８７％であり、側圧の適正値が可動体の重量の６２〜８７％に定められていると、可動体の変位動作の電圧感度が高精度下で一定に保たれて可動体の変位動作の安定性や必要精度が顕著に向上する。しかし、側圧の適正値が可動体の重量の６２％よりも小さいと、側圧が過少になって可動体にがたつきを発生することが起こり得るのに対し、側圧の適正値が可動体の重量の８７％よりも大きいと、側圧が過大になって可動体の変位動作が妨げられるという事態の起こることがある。
【００１４】
本発明では、上記取付片に、上記支軸の軸線に対する前後方向の間隔が所定広さに定められた位置決め突起が備わり、この位置決め突起に上記永久磁石の端面を当接状態で係合させることによりその永久磁石がその位置決め突起により位置決めされた状態で上記取付片に固着されていて、上記支軸の軸線と上記位置決め突起との間隔は、上記側圧の実測値が上記可動体の重量の６０〜９０％、特に好ましくは６２〜８７％になるように定められているという構成を採用することが可能である。
【００１５】
この構成を採用すると、永久磁石の端面を取付片の位置決め突起に当接させてその永久磁石を位置決めするという作業を行うだけで、側圧の実測値が可動体の重量の６０〜９０％又は６２〜８７％になるので、位置決め後に永久磁石の位置を微調整したり可動体の変位動作の安定性や精度などを試行して確認したりするという余分な作業を行う必要がなくなるので、光ピックアップの組立作業が容易になる。
【００１６】
本発明に係る光ピックアップは、対物レンズを備える可動体に具備された孔部がベースに設けられた支軸に嵌合されてその可動体が支軸に対しフォーカス方向及びトラッキング方向に摺動変位自在とされ、上記可動体をフォーカス方向及びトラッキング方向に変位させるための磁気駆動機構に、上記ベースに立ち上げられた一対の取付片に各別に固着されて上記支軸に嵌合された上記可動体を挟む両側に位置する一対の永久磁石と、上記支軸を挟む両側で上記可動体に具備された磁性部とが含まれていると共に、一対の上記永久磁石と上記磁性部との引き合いによって上記支軸と上記孔部との当接箇所に側圧が印加されている光ピックアップにおいて、上記取付片に、上記支軸の軸線に対する前後方向の間隔が所定広さに定められた位置決め突起が備わり、この位置決め突起に上記永久磁石の端面を当接状態で係合させることによりその永久磁石がその位置決め突起により位置決めされた状態で上記取付片に固着されていて、上記支軸の軸線と上記位置決め突起との間隔は、上記側圧の実測値が上記可動体の重量の７５％になるように定め、かつ、上記側圧の実測値が上記可動体の重量の６２〜８７％になるようにその間隔の寸法公差を定めてある、という構成を採用することが可能である。この発明についての作用は、後述する実施形態によって詳細に説明する。
【発明の効果】
【００１７】
以上のように、本発明によれば、可動体の重量との関係で側圧の適正範囲を規定したので、可動体がフォーカス方向やトラッキング方向に変位するときの変位動作の安定性や必要精度を容易に確保される。しかも、側圧を発生させるための永久磁石をベースの取付片に固着するという組立工程を経て組み立てられる光ピックアップにおいて、その永久磁石を取付片に位置決めして取り付けた後にその取付位置を微調整するという作業を不要にしてその組立工程を簡略化することが可能であるにもかかわらず、可動体の変位動作の安定性や必要精度が確保され、記録再生動作の安定性が向上する。
【発明を実施するための最良の形態】
【００１８】
図１は本発明に係る光ピックアップの要部を示した概略平面図、図２はベース５の平面図、図３は位置決め突起６を利用して永久磁石７を位置決めした状態の説明図である。また、図４は可動体の重量と電圧感度との関係を示した図面代用グラフ、図５は間隔（距離）Ａと側圧との関係を示した図面代用グラフである。
【００１９】
図１のように、光ピックアップは、レンズホルダーとしての可動体１を備えている。この可動体１には対物レンズＬや、フォーカスコイルＣ１、トラッキングコイルＣ２，Ｃ２が備わっているほか、中央部に円形の孔部２が備わり、その孔部２を挟む左右両側に空所１２，１２が備わっている。図２のように、アクトベースとしてのベース５は、レーザビームの光路を確保するための透孔５１を備える底板５２に断面円形の支軸５３が垂直に立設されていると共に、その支軸５３を挟む両側に突片５４，５４が垂直に立設されている。また、ベース５には、左右一対の取付片５５，５５が立ち上げられていて、それらの取付片５５，５５の対称位置に位置決め突起６，６が内向きに切起し形成されているのに対し、上記底板５２には、各位置決め突起６，６に対応して左右一対の前後方向に長い凸部５６，５６が形成されている。図１において、７は矩形の永久磁石である。この永久磁石７は、図２又は図３に示したように、その端面７１を位置決め突起６に当接させ、かつ、凸部５６に載架させた状態で位置決めされてそれぞれの取付片５５，５５に固着されている。そして、可動体１の孔部２をベース５の支軸５３に嵌合することによって、その可動体１がフォーカス方向（支軸５３の軸線方向）及びトラッキング方向（支軸５３の周方向）に摺動変位自在とされている。
【００２０】
以上のように構成された光ピックアップでは、可動体１をフォーカス方向及びトラッキング方向に変位させるための磁気駆動機構に、フォーカスコイルＣ１、トラッキングコイルＣ２，Ｃ２、図示していない磁性部（たとえばトラッキングコイルＣ２の鉄心によって左右対称に形成されている）、磁石７，７などが含まれていて、可動体１を挟む両側に配備されている一対の永久磁石７，７と上記磁性部との引き合いによって支軸５３と孔部２との当接箇所に側圧が印加されている。
【００２１】
そこで、側圧と可動体１との動作感度すなわち電圧感度との関係を知るために、一対の永久磁石７，７と磁性部との引き合いによって発生する吸引力の大きさを種々変更して側圧を測定した。その結果を図４に示してあり、同図によれば、フォーカスコイルやトラッキングコイルに１Ｖの電圧を印加したときの可動体１の電圧感度は側圧の大きさによって影響を受け、側圧と電圧感度との関係では、側圧が増大しても電圧感度が一定に保たれる範囲Ｓ１と、側圧が増大すると電圧感度が漸減する範囲Ｓ２とが存在することを確認することができた。
【００２２】
また、可動体１の重量が一定である場合の支軸５３の軸線とベース５側の位置決め突起６，６との前後方向の間隔Ａの広さ（図２参照）を変化させた場合の側圧の変化の状況を調査したところ図５に示した結果が得られた。図５の関係は、可動体１の重量が一定である場合の側圧の大きさと支軸５３の軸線と永久磁石７，７との前後方向の間隔の広さとの関係をも表している。図５において、縦軸に表されている側圧の正値と負値は、支軸５３の軸線に対する永久磁石７，７の基準位置（永久磁石７の中心線７’（図２参照）が支軸の軸線に交わる位置）からの変位方向を表している（図１参照）。そして、図５によれば、図２に示した間隔Ａの広さと側圧の大きさとは比例関係になっている。
【００２３】
そこで、上記した実施形態の光ピックアップでは、図２の間隔Ａを次の手法で定めた。すなわち、図４に基づき、側圧が増大しても電圧感度が一定に保たれる側圧値（側圧量）の範囲Ｓ１を求め、その範囲Ｓ１を可動体１の重量（一定）と対応させたところ、可動体１の重量の９０％以下、特に８７％以下ならば側圧が増大しても電圧感度が一定に保たれることが判明した。また、図５に基づき、上記範囲Ｓ１に収まる側圧から図２の間隔Ａの範囲を求め、その範囲Ａ内で図２の位置決め突起６の位置を種々変更し、その上で、位置決め突起６によって永久磁石７を位置決めして固定して側圧値や可動体１の動作感度を実測したところ、側圧値が可動体１の重量の６０％以下、さらに厳密には６２％以下になると、可動体１にがたつきが発生して記録再生動作が不安定になったり不可能になったりするということが確認された。
【００２４】
この状況の下で、図２の間隔Ａを可動体１の重量に対する６０〜９０％の範囲内に定めて位置決め突起６を形成し、その位置決め突起６に永久磁石７の端面を当接させた状態で永久磁石７を取付片５５に固定したところ、側圧が適正範囲内に定まり、可動体１の変位動作の安定性や必要精度が確保された。また、可動体１の変位動作の安定性や必要精度がをさらに高めるためには、図２の間隔Ａを可動体１の重量に対する６２〜８７％の範囲内に定めて位置決め突起６を形成し、その位置決め突起６に永久磁石７の端面を当接させた状態で永久磁石７を取付片５５に固定することが有効であることが判明した。
【００２５】
また、支軸５３の軸線と位置決め突起６との間隔Ａを、側圧の実測値が可動体１の重量の７５％になるように定め、かつ、側圧の実測値が可動体１の重量の６２〜８７％になるようにその間隔Ａの寸法公差を定めておくと、側圧が適正範囲内に定まり、可動体１の変位動作の安定性や必要精度が確保されることを確認することができた。
【図面の簡単な説明】
【００２６】
【図１】本発明に係る光ピックアップの要部を示した概略平面図である。
【図２】ベースの平面図である。
【図３】位置決め突起を利用して永久磁石を位置決めした状態の説明図である。
【図４】可動体の重量と電圧感度との関係を示した図面代用グラフである。
【図５】間隔（距離）と側圧との関係を示した図面代用グラフである。
【符号の説明】
【００２７】
１  可動体
２  孔部
５  ベース
６  位置決め突起
７  永久磁石
５３  支軸
５５  取付片
Ａ  支軸の軸線と上記位置決め突起との間隔
Ｌ  対物レンズ
【図１】
2005135476.tif 000003
【図２】
2005135476.tif 000004
【図３】
2005135476.tif 000005
【図４】
2005135476.tif 000006
【図５】
2005135476.tif 000007